(57)【特許請求の範囲】
【請求項１】
記録媒体にインクを吐出する複数のノズルを備える記録ヘッドと、
前記記録ヘッドを搭載し、前記記録媒体の搬送方向に対して交差する方向に往復移動するキャリッジと、
前記キャリッジを移動させるキャリッジ搬送手段と、
前記記録ヘッドの夫々に対応して配置され、前記記録ヘッドの前記ノズルの配置されたノズル面に先端が当接して変形すると共に前記ノズル面に密着し、密閉空間を形成するキャップと、
前記キャップが配置されたキャップベースを前記ノズル面に対して接離方向に移動させる昇降手段と、
前記キャリッジ搬送手段と前記昇降手段を制御する制御手段と、
前記キャップの上に載置するシートと、を有し、
前記シートは前記キャップベースに配置した爪部に掛ける孔を有し、前記爪部に前記孔を掛けることで、前記シートを前記キャップ上に固定し、
前記昇降手段を制御してキャップベースを上昇させることで、前記シートを前記キャップと前記記録ヘッドによって押圧し、前記ノズル面に当接する部分を含む前記キャップの先端部分を前記シートによって清掃すると共に前記記録ヘッドのノズル面を清掃するインクジェットプリンターにおいて、
前記シートは、多孔質から成り、前記記録ヘッドの夫々に当接する当接部分の間に、無孔質から成り、前記インクの浸透を防止する非浸透部を備え、該非浸透部によって前記シートに付着した前記インクが、隣の前記当接部分に浸透することを防止し、
前記制御手段は、昇降手段を制御することによってキャップベースを昇降させ、前記シートを記録ヘッドに強く当接させることと弱く当接させることを繰り返し、
前記シートは、前記キャップに当接させる第１シートと、前記記録ヘッドに当接させる第２シートを有し、
隣り合うキャップの一方の汚れが他方のキャップを再汚染するのを防止する場合に、第２シートのみが用いられることを特徴とするインクジェットプリンター。
【請求項２】
前記シートは、前記記録ヘッドの夫々に当接する部分が多孔質であり、前記非浸透部が無孔質であることを特徴とする請求項１に記載のインクジェットプリンター。
【請求項３】
前記シートはナイロン樹脂（登録商標）製であり、前記シートの前記非浸透部は再溶融層を有することを特徴とする請求項１または請求項２に記載のインクジェットプリンター。
【請求項４】
前記シートは、前記キャップに当接させる第１シートと、前記記録ヘッドに当接させる第２シートを有することを特徴とする請求項１から請求項３の何れか１項に記載のインクジェットプリンター。
【請求項５】
前記シートは、洗浄液が滲み込む層を有することを特徴とする請求項１から請求項４の何れか１項に記載のインクジェットプリンター。
【請求項６】
前記洗浄液は前記インクの主溶剤を主な成分として含むことを特徴とする請求項５に記載のインクジェットプリンター。
【請求項７】
記録媒体にインクを吐出する複数のノズルを備える記録ヘッドと、
前記記録ヘッドを搭載し、前記記録媒体の搬送方向に対して交差する方向に往復移動するキャリッジと、
前記キャリッジを移動させるキャリッジ搬送手段と、
前記記録ヘッドの夫々に対応して配置され、前記記録ヘッドの前記ノズルの配置されたノズル面に先端が当接して変形すると共に前記ノズル面に密着し、密閉空間を形成するキャップと、
前記キャップが配置されたキャップベースを前記ノズル面に対して接離方向に移動させる昇降手段と、
前記キャリッジ搬送手段と前記昇降手段を制御する制御手段と、
前記キャップの上に載置するシートと、を有し、
前記シートは前記キャップベースに配置した爪部に掛ける孔を有し、前記爪部に前記孔を掛けることで、前記シートを前記キャップ上に固定し、
前記昇降手段を制御してキャップベースを上昇させることで、前記シートを前記キャップと前記記録ヘッドによって押圧し、前記ノズル面に当接する部分を含む前記キャップの先端部分を前記シートによって清掃すると共に前記記録ヘッドのノズル面を清掃するインクジェットプリンターにおいて、
前記シートは、多孔質から成り、前記記録ヘッドの夫々に当接する当接部分の間に、無孔質から成り、前記インクの浸透を防止する非浸透部を備え、該非浸透部によって前記シートに付着した前記インクが、隣の前記当接部分に浸透することを防止し、
前記制御手段は、昇降手段を制御することによってキャップベースを昇降させ、前記シートを記録ヘッドに強く当接させることと弱く当接させることを繰り返し、
前記非浸透部は、前記シートをキャップ側と記録ヘッド側から押圧手段によって押圧し、多孔質部分をつぶすことによって形成されることを特徴とするインクジェットプリンター。
【発明の詳細な説明】
【技術分野】
【０００１】
本発明は、インクジェットプリンターに関する。
【背景技術】
【０００２】
インクジェット式の記録ヘッドを搭載したプリンターは広く知られている。インクジェット式の記録ヘッドは、ノズルに異物や増粘したインクが詰まることで吐出不良を起こす場合がある。このような問題を生じさせないため、記録ヘッドは定期的なノズル面およびノズル内の清掃を行っている。例えば、記録ヘッドのノズル面に付着した異物の除去をするため、ノズル面をワイパーによって払拭する。また、ノズル内に詰まった増粘したインクや異物を除去するため、ノズル面にキャップを密着させ、キャップ内の圧力を下げ、強制的にノズルからインクを吸い出し、ノズルの詰まりを解消する。また、インク滴を受けるトレーに記録ヘッドからインクを吐出し、増粘したインクを排出することでノズルの詰まりを防止する。このような清掃をすることで、吐出不良が防止できる。
【０００３】
また印刷時にノズルから吐出されたインクは、記録媒体に付着するインクの他に、霧状のしぶきとなり浮遊するものや、記録媒体に到達してから跳ね上がりミストとなり浮遊するものがある。こうしたインクにより、ノズル面の全面が汚れ、それが堆積することで吐出不良の原因となっていた。
【０００４】
例えば、特開２００５−２３８６１１号公報に記載の技術では、ノズル近傍だけでなく、ノズル面の全面を清掃する技術が開示されている。ノズル面の全面を清掃することで、ワイパーで取り損ねたインクや、ノズル面に強固に付着したインクなどを除去することができる。この技術では、板状のサポートプレートとテープ状の洗浄材を備えた洗浄ユニットを用い、洗浄材をノズル面に当接させることで清掃している。また、この技術では、キャップを昇降させる昇降手段が備わっている。キャップ上に板状のサポートプレートを配置し、サポートプレート上に洗浄液を塗布した洗浄材を配置し、キャップを上昇させることで洗浄材をノズル面と当接させ、清掃している。また、洗浄能力を高めるため、洗浄材を摺動させることや、昇降を繰り返し、洗浄材の接離を繰り返すこともしている。
【先行技術文献】
【特許文献】
【０００５】
【特許文献１】特開２００５−２３８６１１号公報
【発明の概要】
【発明が解決しようとする課題】
【０００６】
しかし、ノズル面が清浄であっても、ノズル面が当接するキャップにインクや異物が付着している場合がある。このような場合に、ノズル面の再汚染や、ノズル面とキャップの間に隙間ができることによる密着不良などの問題が生じる。ノズル面を清浄に保つだけではなく、ノズル面にインクや異物が付着することを防ぐことが必要である。すなわちキャップに汚れがないことが好ましい。また、従来のキャップの清掃は、ノズル面との当接面を含む部分を、不織布などで拭き取ることをして清掃をしていた。しかし、キャップはノズル面と密着させるために、先端が柔軟な構成となっているので、拭き取り時に先端が変形し、拭きもらす問題があった。キャップにインクや異物が付着していると密着不良、ノズル面の再汚染が生じ、吐出不良の原因となってしまう。
【課題を解決するための手段】
【０００７】
本発明は、記録ヘッドのノズル面だけではなく、キャップの清掃を同時に行い、ノズル面の汚れを取り除き、吐出不良を防止するクリーニング方法およびインクジェットプリンターを提供する。
【０００８】
本発明のインクジェットプリンターは、記録媒体にインクを吐出する複数のノズルを備える記録ヘッドと、前記記録ヘッドを搭載し、前記記録媒体の搬送方向に対して交差する方向に往復移動するキャリッジと、前記キャリッジを移動させるキャリッジ搬送手段と、前記記録ヘッドの夫々に対応して配置され、前記記録ヘッドの前記ノズルの配置されたノズル面に先端が当接して変形すると共に前記ノズル面に密着し、密閉空間を形成するキャップと、前記キャップが配置されたキャップベースを前記ノズル面に対して接離方向に移動させる昇降手段と、前記キャリッジ搬送手段と前記昇降手段を制御する制御手段と、前記キャップの上に載置するシートと、を有し、前記シートは前記キャップベースに配置した爪部に掛ける孔を有し、前記爪部に前記孔を掛けることで、前記シートを前記キャップ上に固定し、前記昇降手段を制御してキャップベースを上昇させることで、前記シートを前記キャップと前記記録ヘッドによって押圧し、前記ノズル面に当接する部分を含む前記キャップの先端部分を前記シートによって清掃すると共に前記記録ヘッドのノズル面を清掃する。
そして、前記シートは、多孔質から成り、前記記録ヘッドの夫々に当接する当接部分の間に、無孔質から成り、前記インクの浸透を防止する非浸透部を備え、該非浸透部によって前記シートに付着した前記インクが、隣の前記当接部分に浸透することを防止する。
また、前記制御手段は、昇降手段を制御することによってキャップベースを昇降させ、前記シートを記録ヘッドに強く当接させることと弱く当接させることを繰り返す。
そして、前記シートは、前記キャップに当接させる第１シートと、前記記録ヘッドに当接させる第２シートを有する。
また、隣り合うキャップの一方の汚れが他方のキャップを再汚染するのを防止する場合に、第２シートのみが用いられる。
【発明の効果】
【０００９】
記録ヘッドのノズル面だけではなく、キャップの清掃を同時に行い、ノズル面の汚れを好適に取り除くことができる。
【図面の簡単な説明】
【００１０】
【図１】図１は、記録ヘッドをクリーニングするクリーニングユニットを説明する図である。
【図２】図２は、クリーニングシートを説明する図である。
【図３】図３は、クリーニングシートの汚れを説明する図である。
【図４】図４は、インクジェットプリンターの概略図である。
【図５】図５は、インクジェットプリンターのブロック図である。
【図６】図６は、記録ヘッドのクリーニングのフローチャートである。
【図７】図７は、記録ヘッドのクリーニングの別の例のフローチャートである。
【発明を実施するための形態】
【００１１】
以下に、本発明の実施形態を、図面を用いて説明する。図１は、記録ヘッドのクリーニングユニットを説明する図である。
記録ヘッドをクリーニングするクリーニングユニット１を説明する。キャップ２は記録ヘッドのノズル面に密着し、密封する。吸引ポンプ６は、キャップ２内を吸引するためのポンプで図示されていないポンプモーターにより駆動され、キャップ２と記録ヘッドのノズル面によってできる密封空間を負圧にして、ノズルからインクを吸引することができる。キャップ２はキャップベース９に取り付けられている。キャップベース９には７つのキャップ２が備わる。キャップ２は記録ヘッドの数分備わる。
【００１２】
昇降モーター７の回転を、カムを介して上下運動に変換し、キャップベース９を昇降させる。これにより記録ヘッドにキャップ２を接離させることができる。この時、吸引ポンプ６を駆動するモーターとキャップベース９の昇降モーター７を兼用させても良い。すなわち、吸引ポンプ６を駆動するための回転方向と、キャップベース９を昇降させるための回転方向を逆方向にし、各回転方向で機能を変える。
【００１３】
また、当接制御カム８が、キャップベース９の四隅に取り付けられている。この当接制御カム８は、キャップ２と記録ヘッドの当接位置を制御する。すなわち、当接制御カム８は、後述するキャリッジと当接し、当接制御カム８の回転中心とキャリッジまでの距離に応じて、キャップ２の変形量の制御ができる。距離が短いとキャップ２は大きく変形し、距離が長いとキャップ２は小さく変形する。また、変形しすぎることを防止している。
【００１４】
キャップ２の上部に２枚のシート、すなわち第１シート３と第２シート４を載置することができる。第１シート３は主にキャップ２を洗浄するシートである。キャップ２の上部に載置し、第１シート３に洗浄液を塗布する。その洗浄液は、第１シート３に滲み込む。第１シート３は多孔質であるので洗浄液を滲み込ませることができる。その後、第２シート４を載置する。第２シート４の四隅には、キャップベース９に設けられた爪部５に掛けることのできる貫通孔１０が設けられている。第２シート４は、記録ヘッドのノズル側の面と当接し、ノズル側の面を清掃する。記録ヘッドのノズル面を清掃でき、またノズル内のインクが滲み出る。貫通孔１０は、第２シートの長辺側の端部に設けられた凸部に、孔の一部が係るように配置されている。第２シートの貫通孔１０の周辺は、変形しやすくなり、爪部５に掛けやすくなっている。
【００１５】
貫通孔１０を爪部５に掛ける。このとき貫通孔１０が伸ばされて変形する。第２シート４の貫通孔１０間の距離は、爪部５間の距離より短い。また、キャップ２の先端より低い位置に爪部５が設けられている。そのため、第２シート４を伸ばして爪部５に掛けることになる。第２シート４は、キャップ２上に配置された第１シート３をキャップ２側に押圧して固定できる。このようにすることで、第１シート３と第２シート４の位置が移動しないように固定できる。
【００１６】
第１シート３は可撓性のある多孔質部材が好ましく、例えば、合成樹脂製のスポンジである。第１シート３は、キャップ２の全てを覆うように載置され、また、複数あるキャップ２間で撓まないことが好ましい。なぜなら、撓んでしまうとその上に載置する第２シートに皺等ができてしまい、ノズル面の全面に第２シートが接しなくなる場合があるからである。また、第２シート４は、ノズル面より柔らかい素材でできているものが好ましく、例えばナイロン（登録商標）やポリエステルなどの可撓性のある合成樹脂製の布が好ましい。ノズル面に当接した時に、ノズル面を傷つけることなく、また繊維のカスが出ない物が好ましい。
【００１７】
第１シート３はキャップ２に、第２シート４は記録ヘッド２のノズル面に当接させて用いる。第１シート３は第２シート４に比べ剛性を高くするのが好ましい。キャップ２は周囲が凸状になっているが、ノズル面はほぼ平坦である。そのため、キャップ２側をノズル面側よりも硬くして平面を保ちやすくし、ノズル面の全面にシートが当接しやすくしている。また、第１シート３は第２シート４に比べ厚くするのが好ましい。前述の他に洗浄液を含ませやすくできる。また、第１シート３を用いずに、第２シート４だけを用いて清掃することも可能であるが、効果の大きい２枚のシートを用いる方が好ましい。
【００１８】
図２は、クリーニングシートの説明図である。第１シート３と第２シート４を用いて記録ヘッドおよびキャップ２を清掃した後のクリーニングユニット１の様子を示している。第１シート３に塗布した洗浄液は、第２シート４を濡らす。洗浄液によって濡れている範囲１１を点線で示した。洗浄液で濡らす範囲は、記録ヘッドのノズル面に当接する範囲を含む範囲である。第１シート３および第２シート４は、夫々１層構造ででも良いし、複数層構造としても良い。どちらであっても多孔質であるので、洗浄液を滲み込ませることができる。キャップ２とノズル面によってつぶされた時に洗浄液が染み出ることで、好適に付着物を清掃できる。さらに、昇降手段によって、記録ヘッドに当接させることで、ノズル面に付着しているインクとノズル内の一部のインクが第２シート４に滲み出す。例えば、インクが染み出した範囲１２を破線で示してある。この範囲１２の夫々の部分に対して対応する記録ヘッドのノズル面が当接し、そこに付着しているインクやノズル内のインクが染み出し、第２シート４を汚している。すなわちノズル面に固着したいインクを清掃できる。キャップ２とノズル面との間に、第１シート３と第２シート４を挟んだ状態で所定の時間放置する。増粘したインクを軟化させ、第１シート３及び第２シート４に付着させる。
【００１９】
当接制御カム８の当接位置を変えることで、強く当接させたり、弱く当接させたりすることができ、それによって、クリーニングシートの変形量を変えることができる。例えば、汚れがひどい場合には、当接圧を高くし、シートの変形量を大きくし、強く洗浄する。すなわち、当接制御カム８の回転中心からキャリッジまでの距離を短くする位置に回転させ、停止させる。また、当接制御カム８の回転中心からキャリッジまでの距離を長くする位置に回転させ、停止させれば、当接圧を低くし、シートの変形量を小さくし、弱く洗浄できる。また、強く当接させることと弱く当接させることを繰り返すことで、シートおよびキャップの伸縮によって、好適に汚れを取り除ける。すなわち清掃力を強化できる。
【００２０】
記録ヘッドとキャップ２とでは汚れ方や表面の硬さなどが異なり、同じシートを使うこともできるが、同じものを使うよりは、異なるシートを使用する方が好適に汚れを取り除くことができる。第１シート３と第２シート４の異なる２種類のシートを使うことで、記録ヘッドとキャップ２を同時に好適に清掃できる。
【００２１】
図３は、クリーニングシートの汚れを説明する図である。第２シート４は、破線で示した記録ヘッドと当接する位置１３の両側に非浸透部１５を設けてある。この非浸透部１５を超えてインクの滲み出し範囲１４が広がることが無いように設けられている。
【００２２】
記録ヘッドは夫々異なる色のインクを吐出する。すなわち、染み出したインクが隣の記録ヘッドやキャップに到達すことが無いよう非浸透部１５を設けてある。仮に、異なるインクが少しでも混じっている状態でインクを吐出すると、混色により、画質が悪化する恐れがある。そのために、隣り合う記録ヘッドが互いに悪影響を及ぼさないようにすることが好ましい。
【００２３】
ナイロン（登録商標）製等の樹脂製多孔質の材質の第２シート４の非浸透部１５の部分は、熱によって再溶融させた後に冷まして固めることで、無孔質とした部分である。このように再溶融層を備えることで、インクの浸透を防げる。無孔質の非浸透部１５を設けることで、この部分を超えてインクや洗浄液などの液体が浸透することを防止できる。また、無孔質の部分を設けるよりは効果が劣るが、非浸透部１５の部分に穴を開け、液体が通過出来るエリアを狭くすることで、滲み出し速度を低減させることができる。この染み出す時間より短い時間の間に、シートと記録ヘッドを当接させる方法も考えられる。また、複数列の孔を千鳥状に空けることで液体が通過できるエリアを狭くすると共に、経路を長くすることができ、滲み出し速度をさらに低減させることができる。また、無孔質にした部分に穴を空けることもできる。第２シート４をクリーニングユニット１にセットした場合に、第２シート４のキャップ２に対応する部分間に非浸透部１５が位置する。
【００２４】
また、非浸透部１５は、第２シート４の表面側と裏面側から押圧し、多孔質部分をつぶすことで浸透を防止する手段も考えられる。この場合に第２シート４の表面側と裏面側から棒あるいは板状の部材によって挟み、押圧する押圧手段が必要となる。この場合に好ましくは、単に表面側と裏面側から押圧してつぶすだけではなく、一方を凹状に形成し、他方側を凸状、板状、あるいは棒状などの部材として、他方側の部材を、一方側の凹状の窪みに嵌めることで、第２シート４をつぶして非浸透状態にして固定し、非浸透部１５を設ける。
【００２５】
また、第２シート４は多孔質の材質の単層の構造でもよいし、シートを貼り合わせて複数構造にしても良い。どちらであっても、洗浄液やインクが滲みこむことができる構造が好ましい。インクなどが滲みこまない場合には、表面をインクなどが流れて予期せぬ場所に付着し、問題が生じる恐れがある。
【００２６】
図４は、インクジェットプリンターの概略図である。インクジェットプリンター２０は、プラテン２３を備える。プラテン２３は、インクジェットプリンター２０の長手方向に多数配置された搬送ローラー２４によって搬送される記録媒体を、平面に支持する平板である。図示はしていないが、表面に多数の孔があり、吸引することで記録媒体をプラテン２３表面に吸着する。プラテン２３に沿ってキャリッジ２７が往復走査する。キャリッジ２７にはインクジェット式の記録ヘッドが搭載され、プラテン２３に支持された記録媒体にインクを吐出する。記録媒体は、紙、塩化ビニル製などの樹脂フィルムなどである。記録ユニット２１は、キャリッジ２７、キャリッジ２７に搭載された記録ヘッドを含む。記録媒体の搬送方向に対してキャリッジは交差する方向に往復移動する。例えば直交する方向である。
【００２７】
レール２６は、インクジェットプリンター２０の長手方向に沿って配置される直線状のレールである。キャリッジ２７はこのレール２６に沿って移動する。キャリッジ２７は、ベルト２５に固定されている。ベルト２５は駆動モーター２２によって駆動される。また、ベルト２５は、レール２６の両脇側に配置されたプーリーに掛け回された無端ベルトであり、駆動モーター２２によって駆動され、レール２６に沿ってキャリッジ２７を移動させる。不図示のリニアスケールがレール２６に沿って配置され、キャリッジ２７にそのスケールの目盛を検出するセンサーが搭載されている。センサーによって目盛が検出され、キャリッジ２７の位置を検出することができる。
移動するキャリッジ２７の位置が検出できるので、その位置に応じてインクを吐出し、所望の画像を記録媒体に記録できる。
【００２８】
ワイプユニット２８は、キャリッジ２７に搭載されている記録ヘッドのノズル面を、ワイパーによって払拭する装置である。プラテン２３の側方に配置してある。キャリッジ２７をワイプユニット２８上に移動させ、記録ヘッドの長手方向に沿って、ワイパーを移動させて、ノズル面を払拭する。この例では、記録ヘッドの数分のワイパーを備えている。ワイパーによって、ノズル面を清掃することができる。
【００２９】
図５は、インクジェットプリンターのブロック図である。制御手段３０はインクジェットプリンター２０の全体の動作を制御する制御手段である。ＲＯＭ３１に記憶するプログラムに従って動作する。ＲＡＭ３２は、制御手段３０のワークメモリー、情報を一時的に記憶するメモリー、設定値などの所定の値を記憶するメモリーである。ＲＯＭ３１はプログラムの他に、初期値などの制御に必要な値を記憶する不揮発性メモリーである。
【００３０】
メディア搬送手段３３は搬送ローラー２４を含み、記録媒体を搬送する手段である。記録媒体のことをメディアとも呼ぶ。メディア搬送手段３３は制御手段３０によって制御される。記録媒体を所定の長さ毎に、プラテン２３上に搬送し、記録ヘッド３６により記録する。キャリッジ搬送手段３４は駆動モーター２２、ベルト２５、プーリーを含み、制御手段３０によって動作が制御される。キャリッジ搬送手段３４はキャリッジ２７をレール２６に沿って往復移動させる。
【００３１】
印字制御手段３５は制御手段３０の制御によって動作する。印字制御手段３５は記録ヘッド３６を駆動し、インクを吐出させることができる。印字制御手段３５は、後述のキャリッジ位置取得手段３７によって取得されたキャリッジ２７の位置に応じて記録ヘッド３６の吐出駆動を行い、記録媒体にインクを吐出し、画像を記録する。キャリッジ位置取得手段３７は制御手段３０の制御によって動作し、キャリッジ２７の位置を制御手段３０に取得させる。キャリッジ位置取得手段３７は、レール２６に沿って配置されたリニアスケールおよびその目盛を検出するセンサーを含む。センサーでリニアスケールを読取り、キャリッジ２７の位置を演算する。制御手段３０は、キャリッジ２７の位置を取得し、例えば、ワイプユニット２８、クリーニングユニット１上などの所定の位置にキャリッジ２７を移動する。また、制御手段３０は、所得した位置に応じてインクを吐出する制御をする。キャリッジ２７の特定の位置に記録ヘッドを配置することで、キャリッジ２７の位置を取得することで、記録ヘッドの位置を取得でき、また、位置に応じてインクの吐出制御もできる。
【００３２】
昇降手段３８は制御手段３０の制御によって動作する。昇降手段３８は、キャップ２を昇降させる手段である。また、昇降手段３８は、当接制御カム８を含む。当接制御カム８は不図示のモーターによって回転駆動させることができ、そのモーターを制御して、当接制御カム８の回転位置を制御する。また、昇降手段３８は、昇降モーター７を含み、昇降モーター７を駆動し、キャップベース９を昇降させる。
【００３３】
吸引手段３９は、吸引ポンプ６を含み、制御手段３０の制御によって動作する。吸引ポンプ６を駆動することで、キャップ２から空気、インクなどを吸引することができる。また、ノズル面にキャップ２が密着している時に吸引することで、密閉空間の気圧を下げ、インクをノズルから吸引することができる。
【００３４】
払拭手段４０は制御手段３０の制御によって動作し、記録ヘッドを払拭する。払拭手段４０はワイプユニット２８を含む。払拭手段４０は、記録ヘッドの払拭回数、払拭スピードなどを制御手段３０から制御される。画像メモリー４１は制御手段３０の制御によって動作し、記録する画像データを記憶するメモリーである。例えば、キャリッジ２７の１回の走査分の画像をこの画像メモリー４１に記憶させ、キャリッジの位置に合わせてその画像データからデータを取得し、記録ヘッドからインクを吐出する。外部機器ＩＦ４２は制御手段３０の制御によって動作し、外部機器とのインターフェースであり、ホストコンピューターと接続し、外部機器から記録する画像データや機器の設定値などを制御手段３０が取得することができる。操作パネル４３は制御手段３０の制御によって動作する。操作パネル４３は、操作者の操作による入力手段、ＬＣＤ表示装置による機器の状態、操作者への指示などの表示を行う。
【００３５】
図６は、記録ヘッドのクリーニングの動作のフローチャートである。制御手段３０の制御によって動作する。記録ヘッドのノズル面およびキャップ２をクリーニングする動作である。
【００３６】
先ずステップＳ１では、記録ヘッドをクリーニングユニット１上から退避させる。このとき、クリーニングをする前に、余分な付着物などを予め除去することが好ましい。そこで、まずキャリッジ２７をワイプユニットの上方に移動させ、ワイプユニットによってノズル面を払拭する。
【００３７】
次にステップＳ２では、クリーニングユニット１のキャップ２の上に第１シート３を載置する。このとき、操作パネル４３には、操作者に第１シート３をキャップ２上に載置する旨の指示の表示を行う。また、その操作が完了したことを入力させる指示の表示をする。操作が完了した旨の入力が無い場合は、次の処理に進まず、予め決められた所定時間、例えば１分、を超えても入力が無い場合は、クリーニング中に何か問題が生じたものと判断し、エラーの表示およびクリーニング動作を中止する。
【００３８】
次にステップＳ３では、第１シート３に洗浄液を塗布する。このとき、操作パネル４３には、操作者に第１シート３に洗浄液を塗布する旨の指示の表示を行う。また、その操作が完了したことを入力させる指示の表示をする。操作が完了した旨の入力が無い場合は次の処理に進まず、予め決められた所定時間、例えば１分、を超えても入力が無い場合は、クリーニング中に何か問題が生じたものと判断し、エラーの表示およびクリーニング動作を中止する。
【００３９】
次にステップＳ４では、第１シート３の上に第２シートを載置する。このとき、操作パネル４３には、操作者に第１シート３の上に第２シートを載置する旨の指示の表示を行う。また、その操作が完了したことを入力させる指示の表示をする。操作が完了した旨の入力が無い場合は次の処理に進まず、予め決められた所定時間、例えば１分、を超えても入力が無い場合は、クリーニング中に何か問題が生じたものと判断し、エラーの表示およびクリーニング動作を中止する。
次にステップＳ５では、クリーニングユニット１の上方にキャリッジ２７を移動させる。
【００４０】
次にステップＳ６では、昇降手段３８を制御してキャップベース９を上昇させ、当接制御カム８とキャリッジ２７の底面を当接させる。キャップ２、第１シート３、第２シート４は、変形する。第１シート３に滲み込んだ洗浄液は、キャップ２に付着して乾燥し、増粘したインクを軟化させる。また、第１シート３に滲み込んだ洗浄液は第２シート４にも滲み込み、そして、記録ヘッドのノズル面に付着して乾燥し、増粘したインクを軟化させる。ノズル面の全面を洗浄液の浸透した第２シート４で押えることで強固に固着したインク等の異物を払拭できる。
【００４１】
キャップ２の先端部分が徐々に第１シート３に強く当接し、また第２シート４が徐々にノズル面に強く当接していく。キャップ２の先端部分が、変形を始めると第１シート３、第２シート４も変形を始める。この変形により、擦ることもできる。その後、変形が止まる位置まで移動する。変形により第１シート３に含まれる洗浄液は漏れ出し、漏れ出した洗浄液がインクの固まった物や増粘した物や異物などに到達し、浸透する。このとき、当接制御カム８を回転させて、当接圧の強弱を可変させながら当接させても良い。
非浸透部１５を備える第２シート４を用いることで、隣同士の記録ヘッドのインクが混じることを防止できる。
【００４２】
次にステップＳ７では、第２シート４を記録ヘッドに当接させたまま所定時間、例えば３分間、記録ヘッドおよびキャップ２の付着したインクを軟化させるのに十分な時間接触させる。キャップ２の先端とノズル面の汚れが洗浄できるので、密着の不具合を解消できる。非浸透部１５を備える第２シート４を用いることで、隣同士の記録ヘッドのインクが混じることを防止できる。
【００４３】
次にステップＳ８では、キャップ２を、昇降手段３８を制御して降下させる。そして、キャリッジ２７を移動させ、第１シート３と第２シート４を取り除く。第１シート３と第２シート４には、夫々キャップ２とノズル面のインク等が付着し洗浄が完了する。
【００４４】
洗浄液は、記録ヘッドやキャップ部についたインクの顔料・染料成分や樹脂成分を再溶解させる性能が必要でインクの主溶剤を主成分とするのが好ましい。また、制御手段３０は、前回のクリーニングからの間隔を計測し、所定の時間、例えば１日間、以上の間隔があく場合は、ノズル面とキャップ２の間隔を小さくし、接触する圧力を高める制御をしてもよい。例えば、制御手段３０によって当接制御カム８を回転させ、当接位置を変える。接触の圧が高くなると、各部がクリーニングシートに強く当たり、洗浄液が多く染み出すことと、接触圧が高くなることで洗浄力が向上する。当接制御カム８の回転より接触圧を制御することができるので、洗浄力のばらつきが無く、常に同様の洗浄力を得ることができる。
【００４５】
また、昇降手段３８を制御して、徐々に、例えば段階的に、キャップ２を上昇させ、キャップ２の先端をゆっくり変形させてもよい。そうすることで、キャップ２の先端と第１シート３の擦れることで洗浄力を高めることができる。また、ゆっくり行うので、洗浄液によって固化したインクを溶かしながらこすることができる。また、ノズル面側もする距離は短いが、洗浄液によって固化したインクを溶かしながら第２シート４とノズル面を擦ることができる。
【００４６】
図７は、記録ヘッドのクリーニングの別の例のフローチャートである。隣り合うキャップ２の一方がひどく汚れている場合に、洗浄液で溶けたそのキャップ２の汚れが、洗浄材を伝わって他方のキャップ２を再汚染してしまう場合があった。そこで、第２シート４のみを用いることで、この様な再汚染を防止できる。その動作を説明する。制御手段３０の制御によって動作する。記録ヘッドのノズル面およびキャップ２をクリーニングする動作である。
【００４７】
先ずステップＳ１１では、記録ヘッドをクリーニングユニット１上から退避させる。このとき、クリーニングをする前に、余分な付着物などを予め除去することが好ましい。そこで、まずキャリッジ２７をワイプユニットの上方に移動させ、ワイプユニットによってノズル面を払拭するのが好ましい。
【００４８】
次にステップＳ１２では、クリーニングユニット１のキャップ２の上に第２シート４を載置する。このとき、操作パネル４３には、操作者に第２シート４をキャップ２上に載置する旨の指示の表示を行う。また、その操作が完了したことを入力させる指示の表示をする。操作が完了した旨の入力が無い場合は、次の処理に進まず、予め決められた所定時間、例えば１分、を超えても入力が無い場合は、クリーニング中に何か問題が生じたものと判断し、エラーの表示およびクリーニング動作を中止する。
【００４９】
次にステップＳ１３では、第２シート４に洗浄液を塗布する。このとき、操作パネル４３には、操作者に第２シート４に洗浄液を塗布する旨の指示の表示を行う。また、その操作が完了したことを入力させる指示の表示をする。操作が完了した旨の入力が無い場合は次の処理に進まず、予め決められた所定時間、例えば１分、を超えても入力が無い場合は、クリーニング中に何か問題が生じたものと判断し、エラーの表示およびクリーニング動作を中止する。
次にステップＳ１４では、クリーニングユニット１の上方にキャリッジ２７を移動させる。
【００５０】
次にステップＳ１５では、昇降手段３８を制御してキャップベース９を上昇させ、当接制御カム８とキャリッジ２７の底面を当接させる。当接することで、キャップ２、第２シート４は、変形する。変形過程でキャップ２と第２シート４の当接位置が徐々に変わり、キャップ２を拭くことができる。第２シート４に滲み込んだ洗浄液は、キャップ２に付着して乾燥し、増粘したインクを軟化させる。また、第２シート４に滲み込んだ洗浄液は、記録ヘッドのノズル面に付着して乾燥し、増粘したインクを軟化させる。ノズル面の全面を洗浄液の浸透した第２シート４で押えることで強固に固着したインク等の異物を払拭できる。
【００５１】
キャップ２の先端部分が第２シート４に当接し、また第２シート４がノズル面に当接していく。キャップ２の先端部分が、変形を始めると第２シート４も変形を始める。この変形により、擦ることもできる。その後、変形が止まる位置まで移動する。変形により第２シート４に含まれる洗浄液は漏れ出し、漏れ出した洗浄液がインクの固まった物や増粘した物や異物などに到達し、浸透する。このとき、当接制御カム８を回転させて、当接圧の強弱を可変させながら当接させても良い。
非浸透部１５を備える第２シート４を用いることで、隣同士の記録ヘッドのインクが混じることを防止できる。
【００５２】
次にステップＳ１５では、第２シート４を記録ヘッドに当接させたまま所定時間、例えば３分間、記録ヘッドおよびキャップ２の付着したインクを軟化させるのに十分な時間接触させる。キャップ２の先端とノズル面の汚れが洗浄できるので、密着の不具合を解消できる。非浸透部１５を備える第２シート４を用いることで、隣同士の記録ヘッドのインクが混じることを防止できる。
【００５３】
次にステップＳ１６では、キャップ２を、昇降手段３８を制御して降下させる。そして、キャリッジ２７を移動させ、第２シート４を取り除く。第２シート４には、夫々キャップ２とノズル面のインク等が付着し清掃が完了する。
【００５４】
洗浄液は、記録ヘッドやキャップ部についたインクの顔料・染料成分や樹脂成分を再溶解させる性能が必要でインクの主溶剤を主成分とするのが好ましい。例えば、使用するインクの主溶剤と同じ成分を主に、例えば５０％以上含むことが好ましい。また、さらに、主溶剤よりも溶解性の優れた溶剤をさらに含むことが好ましい。また、制御手段３０は、前回のクリーニングからの間隔を計測し、所定の時間、例えば１日間、以上の間隔があく場合は、ノズル面とキャップ２の間隔を小さくし、接触する圧力を高める制御をしてもよい。例えば、制御手段３０によって当接制御カム８を回転させ、当接位置を変える。接触の圧が高くなると、各部がクリーニングシートに強く当たり、洗浄液が多く染み出すことと、接触圧が高くなることで洗浄力が向上する。当接制御カム８の回転より接触圧を制御することができるので、洗浄力のばらつきが無く、常に同様の洗浄力を得ることができる。
【００５５】
また、昇降手段３８を制御して、徐々に、例えば段階的に、キャップ２を上昇させ、キャップ２の先端をゆっくり変形させてもよい。そうすることで、キャップ２の先端と第１シート３の擦れることで洗浄力を高めることができる。また、ゆっくり行うので、洗浄液によって固化したインクを溶かしながらこすることができる。また、ノズル面側も擦る距離は短いが、洗浄液によって固化したインクを溶かしながら第２シート４とノズル面を擦ることができる。
【産業上の利用可能性】
【００５６】
本発明は、インクジェットプリンターに利用できる。
【符号の説明】
【００５７】
１  クリーニングユニット
２  キャップ
３  第１シート
４  第２シート
５  爪部
６  吸引ポンプ
７  昇降モーター
８  当接制御カム
９  キャップベース
１０  貫通孔
２０  インクジェットプリンター
２３  プラテン
２４  搬送ローラー
２５  ベルト
２６  レール
２７  キャリッジ
２８  ワイプユニット
【図１】
0006552900.tif 000002
【図２】
0006552900.tif 000003
【図３】
0006552900.tif 000004
【図４】
0006552900.tif 000005
【図５】
0006552900.tif 000006
【図６】
0006552900.tif 000007
【図７】
0006552900.tif 000008